(57)【要約】      （修正有）【課題】雄型の往復動速度と往復動回数を上げることができる雄型案内溝の構成を有する成形機または鍛造成形機を提供する。【解決手段】その工作台に前後の方向に沿って雄型を雌型へ案内して雄型の先端部を開口から突出させ雌型と成形作業をさせる雄型案内溝が形成してあり、該雄型案内溝は少なくとも互いに並立した左右一対の壁面を有し、且つ、該左右一対の壁面における前記雌型側の開口近くに、それぞれ雄型に左右から当接しながら回転する少なくとも左右一対の第１案内ローラが突出するように設置されている成形機において、前記左右一対の壁面の前記第１案内ローラから離れた箇所に、更に、少なくとも左右一対の第２案内ローラが突出するように設置されており、また、該第２案内ローラと前記第１案内ローラとの間の距離は前記雄型の先端部がすでに前記開口外に突出した時の前記雄型案内溝内に残る前後方向にある長さより小である。【選択図】図１
2007237267.tif 000002
【特許請求の範囲】
【請求項１】
その工作台に前後の方向に沿って雄型を雌型へ案内してから雄型の先端部を開口から突出させ雌型と成形作業をさせる雄型案内溝が形成してあり、該雄型案内溝は少なくとも互いに並立した左右一対の壁面を有し、且つ、該左右一対の壁面における前記雄型案内溝の前記雌型への開口近くに、それぞれ雄型に左右から当接しながら回転する少なくとも左右一対の第１案内ローラが突出するように設置されている成形機において、
前記左右一対の壁面の前記左右一対の第１案内ローラを離れた箇所に、更に、少なくとも左右一対の第２案内ローラが突出するように設置されており、また、該左右一対の第２案内ローラと前記左右一対の第１案内ローラとの間の距離は前記雄型のその前記先端部がすでに前記開口外に突出した時の前記雄型案内溝内に残る前後方向にある長さより小であることを特徴とする成形機。
【請求項２】
その工作台に前後の方向に沿って雄型を雌型へ案内してから雄型の先端部を開口から突出させ雌型と成形作業をさせる雄型案内溝が形成してあり、該雄型案内溝は少なくとも互いに並立した左右一対の壁面と該左右一対の壁面の底縁を連結した底面を有し、且つ、該左右一対の壁面における前記雄型案内溝の前記雌型への開口近くに、それぞれ雄型に左右から当接しながら回転する少なくとも左右一対の第１案内ローラが突出するように設置されている鍛造成形機において、
前記左右一対の壁面の前記左右一対の第１案内ローラを離れた箇所に、更に、少なくとも左右一対の第２案内ローラが突出するように設置されており、また、該左右一対の第２案内ローラと前記左右一対の第１案内ローラとの間の距離は前記雄型のその前記先端部がすでに前記開口外に突出した時の前記雄型案内溝内に残る前後方向にある長さより小であることを特徴とする鍛造成形機。
【請求項３】
その工作台に前後の方向に沿って、断面が直立部と該直立部の上端部から左右に延びてなった一対の腕部とを有するT字形になった部分を有する雄型を雌型へ案内してから雄型の先端部を開口から突出させ雌型と成形作業をさせる断面T字形部分を有する雄型案内溝が形成してあり、
該断面T字形部分を有する雄型案内溝は少なくとも、
互いに並立している上、上下二対の互いに対立する垂直面と左右一対の各上下両面を連結していて前記断面T字形の雄型の腕部を下から捧げる肩面とを備えて前記雄型案内溝の断面T字形を形成している部分を有する左右一対の壁面と、
該左右一対の壁面のそれぞれの下垂直面の底縁を連結した底面と、
を有し、
且つ、該左右一対の壁面のそれぞれの下垂直面における前記雄型案内溝の前記雌型への開口近くに、それぞれ雄型の直立部に左右から当接しながら回転する少なくとも左右一対の第１案内ローラが突出するように設置されている鍛造成形機において、
前記左右一対の壁面のそれぞれの上垂直面にある前記左右一対の第１案内ローラを離れた箇所に、更に、それぞれ雄型の左右一対の腕部に左右から当接しながら回転する少なくとも左右一対の第２案内ローラが突出するように設置されており、
また、該左右一対の第２案内ローラと前記左右一対の第１案内ローラとの間の前後距離は前記雄型のその前記先端部がすでに前記開口外に突出した時の前記雄型案内溝内に残る前後方向にある長さより小であることを特徴とする鍛造成形機。
【請求項４】
前記左右一対の第１案内ローラも前記左右一対の第２案内ローラも左右動に調整できるように設置されていることを特徴とする請求項３に記載の鍛造成形機。
【請求項５】
前記左右一対の壁面は、それぞれの前記上垂直面の上縁から左右方向上の外側へ延伸してなった上平面を更に有し、
前記左右一対の第２案内ローラは、それが設置されている壁面の前記上平面から左右動調整をされるように配置構成されていることを特徴とする請求項４に記載の鍛造成形機。
【請求項６】
前記第２案内ローラが設置される該当の上垂直面に前記上平面へも開口する窪みが開けてあり、
前記窪み内に、左右方向上の外側へ開口したハウジングが左右動してから固定されうるように収納されており、
前記ハウジング内に前記第２案内ローラが該ハウジングの開口から突出するように設置されており、
前記第２案内ローラの左右動調整は上から前記ハウジングと前記窪みの壁面との前後方向にある相対面間に楔手段を入れることにより行われていることを特徴とする請求項５に記載の鍛造成形機。
【請求項７】
前記ハウジングは、前記工作台の左右両側から前記窪み内に挿入したボルトにねじ付けられており、
前記楔手段は、それに前記ボルトに挿通されるための通孔が開けてあり、且つ前記相対面間の幅により選択される平板状のコッタからなっていることを特徴とする請求項６に記載の鍛造成形機。
【請求項８】
前記ハウジングは、前記工作台の左右両側から前記窪み内に挿入するボルトにねじ付けられており、
このボルトの根元あたりにねじがついていない上、そこに弾性のある座金が設置されており、
前記相対面間の前記ボルトに通られていないある空間が上へ開口した楔状になり、該空間に楔手段が嵌入しており、
前記ハウジングの上面に蓋板が前記空間の上開口を覆うようにねじ付けられており、
それに、上から下へと前記蓋板を挿通して前記楔手段にねじ込んでいてその捻じり操作により楔手段を上下動させ前記第２案内ローラを前記座金の弾性に対抗しながら左右動させるように調整することができる調整ねじを有することを特徴とする請求項６に記載の鍛造成形機。
【請求項９】
前記空間は、上下互いに対称する一対の楔状空間からなっており、
前記楔手段は、その形状も位置も上下互いに対称するように、前記一対の楔状空間内にそれぞれ収納されている一対の楔からなっており、
前記調整ねじは、上から下へと前記蓋板を挿通してからまず上の一つ、そして下の一つと前記一対の楔にねじ込んでいてその捻じり操作により前記一対の楔を相対的に上下動させ前記第２案内ローラを左右動させることができることを特徴とする請求項８に記載の鍛造成形機。
【発明の詳細な説明】
【技術分野】
【０００１】
本発明は成形機に関し、特に、その工作台に前後の方向に沿って雄型を雌型へ案内する雄型案内溝が形成してある鍛造成形機に関する。
【背景技術】
【０００２】
従来からの鍛造成形機は、その工作台に前後の方向に沿って雄型を雌型へ案内してから雄型の先端部を開口から突出させ雌型と成形作業をさせる雄型案内溝が形成してある。
【０００３】
前記雄型案内溝内には、雄型が高速に往復動し、摩擦が激しいので、通常、それを摩擦による焼損から保護するために、潤滑脂を塗布する。
【０００４】
しかし、潤滑脂からなる油膜は、相対する摩擦面を隔離することができるが、耐圧度に限定がある上、摩擦熱によって分解する虞もあり、雄型が高速に往復
動するうち、一旦いずれかの原因で破裂すると、摩擦や焼損が直ぐ起こるので、往復動速度にも往復動回数にも限定があり、効率化生産が要求される現状に合わない。
【０００５】
それがために、発明者は、２００３年に、前記雄型案内溝内における左右両壁面の前記雌型への開口近くに、それぞれ雄型に左右から当接しながら回転する左右一対の案内ローラが突出するように設置されている新型の鍛造成形機を提案し発売した。
【０００６】
この新型の鍛造成形機は、前記一対の案内ローラによって往復動中の雄型を案内し、容易に移動させることができるため、前記雄型案内溝内における前記雄型の高速往復による摩擦や摩擦熱を大幅に減らことができるので、前記雄型の往復動速度をも往復動回数をも一段上げることに奏したが、効果にやはり限度があり、即ち発明者の理想に達する前に、焼損がすでに起こり、更なる速度または回数まで上げることができない。
【発明の開示】
【発明が解決しようとする課題】
【０００７】
前記に鑑みて、発明者は、前記焼損が起こりにくく、雄型の雄型案内溝内にある往復動速度も往復動回数ももっと上がることができる構成を有する成形機または鍛造成形機を提供しようとすることをその目的とする。
【課題を解決するための手段】
【０００８】
前記目的を達成するために、発明者は研究に研究を重ねた挙げ句、前記新型の鍛造成形機に起こる前記焼損は、雄型案内溝内に往復動している雄型の後端近くの揺れによるのだと発見し、即ち、前記新型の鍛造成形機は、その雄型案内溝内における左右両壁面の雌型への開口近くだけに案内ローラを設置しているので、往復動中の雄型の後端近くがなんらの支持をも受けずに移動し、高速移動中に自ずと震えて揺れが起こり、摩擦を起こすということを発見した。
【０００９】
前記発見に基づいて、発明者は、その工作台に前後の方向に沿って雄型を雌型へ案内してから雄型の先端部を開口から突出させ雌型と成形作業をさせる雄型案内溝が形成してあり、該雄型案内溝は少なくとも互いに並立した左右一対の壁面を有し、且つ、該左右一対の壁面における前記雄型案内溝の前記雌型への開口近くに、それぞれ雄型に左右から当接しながら回転する少なくとも左右一対の第１案内ローラが突出するように設置されている成形機において、前記左右一対の壁面の前記左右一対の第１案内ローラを離れた箇所に、更に、少なくとも左右一対の第２案内ローラが突出するように設置されており、また、該左右一対の第２案内ローラと前記左右一対の第１案内ローラとの間の距離は前記雄型のその前記先端部がすでに前記開口外に突出した時の前記雄型案内溝内に残る前後方向にある長さより小である成形機を提供する。
【００１０】
前記成形機について鍛造成形機が挙げられ、前記雄型案内溝について更に少なくとも互いに並立した左右一対の壁面と該左右一対の壁面の底縁を連結した底面を有するものが挙げられる。
【００１１】
また、前記雄型は、断面が直立部と該直立部の上端部から左右に延びてなった一対の腕部とを有するT字形になった部分を有するものである場合、前記雄型案内溝については、断面T字形部分を有する雄型案内溝であって、少なくとも、互いに並立している上、上下二対の互いに対立する垂直面と左右一対の各上下両面を連結していて前記断面T字形の雄型の腕部を下から捧げる肩面とを備えて前記雄型案内溝の断面T字形を形成している部分を有する左右一対の壁面と、該左右一対の壁面のそれぞれの下垂直面の底縁を連結した底面とを有するものが挙げられる。その時、前記左右一対の第１案内ローラは前記左右一対の壁面のそれぞれの下垂直面に、前記左右一対の第２案内ローラは前記左右一対の壁面のそれぞれの上垂直面にした方が良い。
【発明の効果】
【００１２】
前記構成による成形機または鍛造成形機は、往復中の雄型を先端近くからも後端近くからも始終案内ローラで案内しながら保持するので、従来の高速往復動中に起こる震えや揺れを解消することができ、雄型の往復動速度や回数を更に上げることができる。
【発明を実施するための最良の形態】
【００１３】
以下、本発明に関する鍛造成形機の好適な実施形態を、図面を参照しながら説明する。なお、図中、似ている部分には、同一の参照符号を付する。
【００１４】
まず、図１〜図６を参照しながら本発明の第１の実施形態の鍛造成形機１を説明する。
【００１５】
図１に示すのは、本発明の第１の実施形態の鍛造成形機１であるが、主として、その、本発明の特徴にかかる部分、即ち工作台２と、第１案内ローラ装置３と、第２案内ローラ装置４とを中心とし、他の従来からある部分をなるべく省略している。しかし、この発明の範囲内でない雄型５も雌型６も、説明の便のために、この図や必要があれば他の図にも入れている。なお、以下の説明においては、雄型５の方は後方、雌型６の方は前方と称する。
【００１６】
そして、図２の一点鎖線で表示されているのは、雄型５である。この雄型５は、もともと下記の雄型案内溝２０内に前後摺動するものであるが、その形状／構造をよくみせるために、溝外に描いている。
【００１７】
以下、詳細に説明をする。
【００１８】
この実施形態例に使用される雄型５は、図示のように、その断面が直立部５１と該直立部５１の上端部から左右に延びてなった一対の腕部５２、５２とを備えたT字形の部分を主として有するものである。
【００１９】
前記雄型５に対応するために、図２に示すように、この実施形態例における工作台２の上面に、前後の方向に沿って雄型５を雌型６へ案内してから雄型５の先端部だけを前方の開口から突出させ溝外の雌型６と併せて成形作業をさせる断面T字形部分を有する雄型案内溝２０が形成してある。
【００２０】
雄型案内溝２０は、互いに並立している左右一対の壁面２１、２１と、該左右一対の壁面２１、２１のそれぞれの底縁を連結した底面２２とに囲まれてなった。
【００２１】
即ち、左右一対の壁面２１、２１は、まず、その下の方に上下二対の互いに対立している垂直面２１４、２１６を有する。この上下二対の垂直面２１４、２１４、２１６、２１６における下の一対２１６、２１６は、上の一対２１４、２１４より近付いている。そして、左右一対の壁面２１、２１は、更に、左右一対の各上下両垂直面２１４、２１６を連結していて前記断面T字形の雄型５の腕部５２を下から捧げる肩面２１５を有する。
【００２２】
それがために、雄型案内溝２０の左右一対の壁面２１、２１の下の方と底面２２とに囲まれてなった部分は、断面T字形になっている。
【００２３】
そして、左右一対の壁面２１、２１のそれぞれの下垂直面２１６における前記雄型案内溝２０の前記雌型６への前方開口近くに、それぞれ雄型５の直立部５１に左右から当接しながら回転する第１案内ローラ３１が突出するように設置されており、前記左右一対の壁面２１、２１のそれぞれの上垂直面２１４にある左右一対の第１案内ローラ３１を離れた後方の箇所に、更に、それぞれ雄型５の左右一対の腕部５２、５２に左右から当接しながら回転する左右一対の第２案内ローラ４２が突出するように設置されている。
【００２４】
即ち、下垂直面２１６における前記雄型案内溝２０の前方開口近くの中に、第１案内ローラ３１を有する第１案内ローラ装置３が設置されており、上垂直面２１４にある第１案内ローラ３１を離れた後方の箇所に、第２案内ローラ４１を有する第２案内ローラ装置４が設置されている。
【００２５】
なお、第２案内ローラ装置４と第１案内ローラ装置３との間、特に第２案内ローラ４１と前記第１案内ローラ３１との間の前後距離は、前記雄型５のその前記先端部がすでに前記前方開口外に突出した時の前記雄型案内溝２０内に残る前後方向にある長さより小である。
【００２６】
そして、図２及び図３を参照すると、上垂直面２１４は、下方へも延伸しているものであり、下垂直面２１６と肩面２１５は、上垂直面２１４の下方へも延伸してなった部分に取外し可能に貼り付けられた下壁体２０１の前面と上面にそれぞれ形成されている。
【００２７】
下壁体２０１の第１案内ローラ装置３が設置される位置の背面に窪み２０１Ａが開けてある。この窪み２０１Ａは下壁体２０１の背面に開口２０１Ｂがなっている上、下垂直面２１６にも第１案内ローラ３１を突出させる開口２０１Ｃがなっている。
【００２８】
図３に示すように、該窪み２０１Ａ内に、左右方向上の溝内への開口３２１を有するハウジング３２が左右動してから一時的に固定されうるように収納されている。第１案内ローラ３１はハウジング３２内に回転可能に設置されている上、開口３２１、更に下垂直面２１６にある開口２０１Ｃをも経由して雄型案内溝２０内に突出していて雄型５に当接して雄型５の左右動に連動して回転することができる。
【００２９】
図４をも参照すると、窪み２０１Ａの前後方向における幅はハウジング３２の前後方向における幅より大であり、且つ、ハウジング３２は窪み２０１Ａ内の後寄りに設置されているので、窪み２０１Ａ内の前側には隙間が残っている。また、窪み２０１Ａ内におけるハウジング３２の後ろに楔３３がハウジング３２に当接するように設置されている。この楔３３の大小両端は前後両端にあるように配置されている上、前端が前記隙間に突出している。
【００３０】
そして、図示のように、楔３３の前側面には上下一対のねじ穴３３１、３３１が開けてあり、この上下一対のねじ穴３３１、３３１は、下壁体２０１の、前記前方開口の左右両縁となった前側面から挿入されている上下一対のボルト３４、３４にねじ込まれているので、この上下一対のボルト３４、３４の調整により前後動し、ハウジング３２及び第１案内ローラ３１を左右動させることができる。なお、上下一対のボルト３４、３４の間にあるボルト３４０は、調整された後の楔３３に前から当接してそれを止めるための固定手段である。
【００３１】
また、図２及び図５を参照すると、壁面２１は、それぞれの上垂直面２１４の上縁から左右方向上の外側（案内溝外）へ延伸してなった上平面２１３を更に有し、また、第２案内ローラ装置４は、それが設置されている壁面２１に連続している上平面２１３から左右動調整をされるように配置構成されている。
【００３２】
第２案内ローラ装置４が設置される該当の上垂直面２１４にそれに連続している上平面２１３へも開口する窪み２０２Ａが開けてあり、該窪み２０２Ａ内に、左右方向上の外側（案内溝内）へ開口したハウジング４２が左右動してから固定されうるように収納されている。第２案内ローラ４１はハウジング４２内に該ハウジング４２の開口４２１、そして上垂直面２１４にある開口から突出するように設置されている。図６をも参照すると、第２案内ローラ４１の左右動調整は上からハウジング４２と窪み２０２Ａの壁面２０２Ｂとの前後方向にある相対面間にコッタ４３を入れることにより行われている。コッタ４３とは、複数の厚さが異なっていて需要によりその一枚乃至複数枚が選択され使用される平板状の楔である。図示の例は、ただ一枚が使用されている。
【００３３】
ハウジング４２は、前記工作台２の左右両側から前記窪み２０２Ａ内に挿入したボルト４４にねじ付けられている。コッタ４３は、図示のように、それに前記ボルト４４に挿通されるための通孔４４１が開けてあり、且つ前記相対面間の幅により選択されるものからなっている。即ち、２案内ローラ４１はコッタ４３の取替えにより左右動に調整することができる。
【００３４】
次に、図７及び図８を参照しながら本発明の第２の実施形態の鍛造成形機１を説明する。
【００３５】
図７は、この第２の実施形態の鍛造成形機１における第２案内ローラ装置４の分解斜視図である。この図面を参照すると、この第２案内ローラ装置４のハウジング４２は、下記調整後の位置にあって、前記工作台２の左右両側から前記窪み２０２Ａ内に挿入したボルト４４Ａにねじ付けられている。このボルト４４Ａの根元あたりにねじがついていない上、そこに弾性のある座金４５が設置されている。
【００３６】
図８をも参照すると、前記相対面間の前記ボルト４４Ａに通られていないある空間４６が上へ開口した楔状になり（この例は主としてハウジング４２の方になり）、該空間４６に楔手段４３Ａが嵌入してあり、また、前記ハウジング４２の上面に蓋板４７が前記空間４６の上開口を覆うようにねじ付けられている。それに、上から下へと前記蓋板４７を挿通して前記楔手段４３Ａにねじ込んでいてその捻じり操作により楔手段４３Ａを上下動させ前記第２案内ローラ４１を前記座金４５の弾性に対抗しながら左右動させるように調整することができる調整ねじ４８を有する。
【００３７】
第２の実施形態の鍛造成形機の他の構造は、前記第１の実施形態のと同じなので、ここでその説明を省く。
【００３８】
さらに、図９及び図１０を参照しながら本発明の第３の実施形態の鍛造成形機１を説明する。図９に示すのは、この第３の実施形態の鍛造成形機１における第２案内ローラ装置４の分解斜視図である。この図面を参照すると、この第２案内ローラ装置４のハウジング４２は、下記調整後の位置にあって、前記工作台２の左右両側から前記窪み２０２Ａ内に挿入したボルト４４Ａにねじ付けられている。このボルト４４Ａの根元あたりにねじがついていない上、そこに弾性のある座金４５が設置されている。図１０をも参照すると、前記第２の実施形態の相対面間にある楔状の空間に相当する空間は、上下互いに対称する一対の楔状空間４６Ａ、４６Ｂからなっており、また楔手段として、その形状も位置も上下互いに対称するように、前記一対の楔状空間４６Ａ、４６Ｂ内にそれぞれ一対の楔４３Ｂ１、４３Ｂ２が挿入されている。また、前記第２の実施形態の調整ねじ４８に相当するもの４８Ａは、上から下へと前記蓋板３７を挿通してからまず上の一つ、そして下の一つと前記一対の楔４３Ｂ１、４３Ｂ２にねじ込んでいてその捻じり操作により前記一対の楔４３Ｂ１、４３Ｂ２を相対的に上下動させ前記第２案内ローラ４１を左右動させることができる。
【００３９】
第３の実施形態の鍛造成形機の他の構造は、前記第１の実施形態のとも同じなので、ここでその説明を省く。
【産業上の利用可能性】
【００４０】
前記のように、前記構成による成形機または鍛造成形機は、従来の高速往復動中に起こる震えや揺れを解消することができので、雄型の往復動速度や回数を更に上げる成形機を提供することができる。
【図面の簡単な説明】
【００４１】
【図１】本発明の鍛造成形機の上面図である。
【図２】本発明の鍛造成形機の部分分解斜視図である。
【図３】本発明の第１案内ローラ装置の分解斜視図である。
【図４】図３の縦断面図である。
【図５】第１の実施形態における第２案内ローラ装置の分解斜視図である。
【図６】図５の縦断面図である。
【図７】第２の実施形態における第２案内ローラ装置の分解斜視図である。
【図８】図７の縦断面図である。
【図９】第３の実施形態における第２案内ローラ装置の分解斜視図である。
【図１０】図９の縦断面図である。
【符号の説明】
【００４２】
２          工作台
５          雄型
６          雌型
２０        雄型案内溝
２１、２１  左右一対の壁面
３１        第１案内ローラ
４１        第２案内ローラ
２２        底面
５１        直立部
５２        腕部
２１４      上垂直面
２１６      下垂直面
２１５      肩面
２１３      上平面
２０２Ａ    窪み
２０２Ｂ    窪みの壁面
４２        ハウジング
４４        ボルト
４４Ａ      ボルト（根元あたりにねじがついていない）
４３        コッタ
４３Ａ      楔手段（上下動させ）
４３Ｂ１、４３Ｂ２        一対の楔
４５        座金
４６        楔状空間
４６Ａ、４６Ｂ            一対の楔状空間
４７        蓋板
４８、４８Ａ              調整ねじ
【図１】
2007237267.tif 000003
【図２】
2007237267.tif 000004
【図３】
2007237267.tif 000005
【図４】
2007237267.tif 000006
【図５】
2007237267.tif 000007
【図６】
2007237267.tif 000008
【図７】
2007237267.tif 000009
【図８】
2007237267.tif 000010
【図９】
2007237267.tif 000011
【図１０】
2007237267.tif 000012